(57)【要約】【課題】  放射線撮影システムの可動部が乳房に干渉することを回避するとともに、操作者による乳房へのアクセスを容易にすることができる放射線撮影装置を提供する。【解決手段】  本発明に係る放射線撮影装置は、乳房を挿入し、前記乳房を覆うように保持する乳房保持手段を備え、前記乳房保持手段は、複数の分割部に分割される。【選択図】図１
2017221299.tif 000002
【特許請求の範囲】
【請求項１】
乳房を挿入し、前記乳房を覆うように保持する乳房保持手段を備え、
前記乳房保持手段は、複数の分割部に分割されることを特徴とする放射線撮影装置。
【請求項２】
前記複数の分割部は、前記乳房の挿入方向の略垂直方向に分割されることを特徴とする請求項１に記載の放射線撮影装置。
【請求項３】
前記複数の分割部の少なくとも１つは、前記乳房の略挿入方向にスライド可能であることを特徴とする請求項１又は２に記載の放射線撮影装置。
【請求項４】
前記複数の分割部は、前記乳房の略挿入方向に相対的に移動することを特徴とする請求項１乃至３の何れか１項に記載の放射線撮影装置。
【請求項５】
前記乳房保持手段の前記略垂直方向の断面は、前記乳房の略挿入方向に進むに従って小さくなることを特徴とする請求項１乃至４の何れか１項に記載の放射線撮影装置。
【請求項６】
前記乳房保持手段は、
前記乳房の自重方向から前記乳房を保持する保持分割部と、
前記自重方向以外の方向から前記乳房を覆うカバー分割部とに、分割されることを特徴とする請求項１乃至５の何れか１項に記載の放射線撮影装置。
【請求項７】
前記保持分割部は、前記放射線撮影装置の撮影手段を回転させる回転手段から被検者を隔離する隔離手段及び前記回転手段を支持する支持手段の少なくとも１つに連結可能であることを特徴とする請求項６に記載の放射線撮影装置。
【請求項８】
前記乳房保持手段に占める前記保持分割部の割合は、前記乳房保持手段に占める前記カバー分割部の割合と比べて略同じ又は大きいことを特徴とする請求項６又は７に記載の放射線撮影装置。
【請求項９】
前記カバー分割部は、前記乳房の挿入方向の略垂直方向から見て、前記保持分割部に対して右開き及び左開きの少なくとも一方に開閉可能であることを特徴とする請求項６乃至８の何れか１項に記載の放射線撮影装置。
【請求項１０】
前記カバー分割部は、前記乳房の略挿入方向に伸縮することを特徴とする請求項６乃至９の何れか１項に記載の放射線撮影装置。
【請求項１１】
前記放射線撮影装置の撮影手段を回転させる回転手段を覆うカバーの外側から前記乳房に手で触れるための開口手段を、前記カバーに備えることを特徴とする請求項１乃至１０の何れか１項に記載の放射線撮影装置。
【請求項１２】
前記カバー分割部と前記保持分割部の分割方向は、前記乳房の挿入方向の略垂直方向であり、前記開口手段の方向へ偏向していることを特徴とする請求項１１に記載の放射線撮影装置。
【請求項１３】
放射線を発生する放射線発生手段と、
前記放射線を検出し、前記放射線の検出データを取得する放射線検出手段と、
前記放射線発生手段と前記放射線検出手段を回転可能とする回転手段と、
前記回転手段を支持する支持手段と、
乳房を挿入し、前記乳房を覆うように保持する乳房保持手段とを備え、
前記乳房保持手段は、複数の分割部に分割されることを特徴とする放射線撮影システム。
【請求項１４】
前記複数の分割部の少なくとも１つは、前記回転手段の略回転軸方向にスライド可能であることを特徴とする請求項１３に記載の放射線撮影システム。
【請求項１５】
乳房を挿入し、前記乳房を覆うように保持する乳房保持手段を、複数の分割部に分割することを特徴とする放射線撮影方法。
【請求項１６】
コンピュータを請求項１乃至１２の何れか１項に記載の放射線撮影装置の各手段として機能させるためのプログラム。
【発明の詳細な説明】
【技術分野】
【０００１】
本発明は、放射線撮影装置、放射線撮影システム、放射線撮影方法、及びプログラムに関する。
【背景技術】
【０００２】
乳がんのＸ線検査装置として、マンモグラム装置が標準的に使用されてきた。しかし、マンモグラムは、デンスブレスト（乳腺の多い乳房）の場合、病変部と乳腺構造が重なり合うことにより、病変検出の感度や特異度が低下することが知られている。このマンモグラムの欠点を補う技術として、トモシンセシスや乳房専用ＣＴ装置が注目されている。これらの装置の特徴は、乳房の３Ｄ画像を提供することにより、病変部と乳腺構造を分離して観察できるようにすることである。
【０００３】
マンモグラムやトモシンセシスの撮影の際には、乳房は圧迫板と撮影部の天板で圧迫される。一方、乳房専用ＣＴは、乳房圧迫による被検者の痛みを避けるため、及び被写体中のＸ線透過長を略均等にするために、乳房を圧迫しない構造を採用している。しかし、乳房を立位で撮影する場合は、乳房が垂下することにより、放射線撮影システムの回転構造と干渉するおそれがあるため、乳房保持手段が必要である。
【０００４】
マンモグラムの撮影装置がＣＴ撮影も行える技術の開示がある。また、ＣＴ撮影の際に乳房を保持する乳房保持部の開示がある（例えば、特許文献１）。
【先行技術文献】
【特許文献】
【０００５】
【特許文献１】特表２０１３−５３８６６８号公報
【発明の概要】
【発明が解決しようとする課題】
【０００６】
しかしながら、従来の乳房撮影用ＣＴでは、Ｘ線減衰やＸ線散乱を減らす趣旨で、撮影領域内に乳房以外を配置しないことが好ましいと考えられているため、臥位乳房専用ＣＴでは、減衰体や散乱体である乳房保持手段は撮影領域内に配置されない。
【０００７】
一方、立位乳房専用ＣＴでは、乳房が垂下することにより、放射線撮影システムの回転構造（Ｘ線発生部やＸ線検出部など）に乳房が接触（干渉）することを避けるために、乳房保持部が必要である。しかしながら、特許文献１の乳房保持部は乳房を覆っていないため、乳房への回転構造の干渉が避けられない。また、乳房保持部は乳房を圧迫して固定するため、乳房保持部を乳房に装着後に操作者（技師など）による患者乳房へのアクセスが困難となっていた。
本発明は、放射線撮影システムの可動部が乳房に干渉することを回避するとともに、操作者による乳房へのアクセスを容易にすることを目的とする。
【課題を解決するための手段】
【０００８】
本発明に係る放射線撮影装置は、乳房を挿入し、前記乳房を覆うように保持する乳房保持手段を備え、前記乳房保持手段は、複数の分割部に分割される。
【発明の効果】
【０００９】
本発明によれば、乳房保持手段により乳房を覆うことにより、放射線撮影システムの可動部が乳房に干渉することを回避するとともに、操作者による乳房へのアクセスを容易にすることができる。
【図面の簡単な説明】
【００１０】
【図１】第１の実施形態の放射線撮影装置の外観図を示す図である。
【図２】第１の実施形態の乳房保持部の構成を説明する図である。
【図３】第２の実施形態の乳房保持部の構成を説明する図である。
【図４】第３の実施形態の乳房保持部の構成を説明する図である。
【図５】第４の実施形態の乳房保持部の構成を説明する図である。
【図６Ａ】第５の実施形態の放射線撮影システムの構成を説明する図である。
【図６Ｂ】第５の実施形態の放射線撮影システムに被検者が乳房を挿入した図である。
【発明を実施するための形態】
【００１１】
（第１の実施形態）
図１（ａ）及び図１（ｂ）は、本発明の第１の実施形態に係る放射線撮影装置の外観図である。撮影部６は、支柱部３で保持されている。撮影部６内には、回転フレーム（図示しない）があり、回転フレームの中央に撮影領域が設定されている。回転フレームは、カバー部６で覆われている。カバー部６は、前面カバー８と側面カバー１４０を含む。前面カバー８の中央には、乳房を挿入するための孔部７がある。
【００１２】
側面カバー１４０には、操作者（技師など）が被検者１の乳房を撮影領域内に適切に配置するためのアクセス窓（開口部）１１がある。アクセス窓１１は、開閉可能で、撮影時には閉じられる。アクセス窓（開口部）１１は、Ｘ線発生部２とＸ線検出部１０（放射線撮影装置の撮影部）を回転させる回転フレームを覆うカバー部６の外側から乳房に手で触れるために、側面カバー１４０に備えられる。
【００１３】
Ｘ線発生部（放射線発生部）２は、放射線を発生する。Ｘ線検出部（放射線検出部）１０は、放射線を検出し、放射線の検出データを取得する。回転フレーム（回転部）は、Ｘ線発生部（放射線発生部）２とＸ線検出部（放射線検出部）１０を回転可能とする。回転フレームには、Ｘ線発生部２とＸ線検出部１０が固定されており、被写体である乳房の周囲を３６０度回転して、投影データを撮影する。回転フレームの中央に撮影領域があり、撮影領域に収まるように乳房保持部１２が配置される。
【００１４】
乳房保持部１２は、孔部７から乳房を挿入し、挿入された乳房を覆うように保持する。乳房保持部１２は、乳房の挿入方向の略垂直方向に、複数の分割部に分割される。複数の分割部は、乳房の略挿入方向に相対的に移動する。
【００１５】
図１（ｂ）では、乳房保持部１２は、上下方向に２つの分割部に分割される。乳房保持部１２の上部は、下部に対して乳房の略挿入方向にスライド可能になっている。このように、複数の分割部の少なくとも１つは、乳房の略挿入方向（又は、回転フレームの略回転軸方向）にスライド可能である
【００１６】
操作者が乳房にアクセス（触手）する際に、アクセス窓１１を開けた後、乳房保持部１２の上部を乳房の略挿入方向にスライドさせる。乳房保持部１２は、Ｘ線減衰やＸ線散乱を小さくするために、アクリルやカーボンで構成される。
【００１７】
図２を用いて、第１の実施形態の乳房保持部１２の構成を詳しく説明する。図２（ａ）は、乳房保持部１２を示す斜視図である。図２（ａ）に示すように、乳房保持部１２は、Ｘ線発生部２とＸ線検出部１０で構成されるＸ線ビーム１５の照射領域内（撮影領域内）に配置される。ただし、乳房保持部１２の一部は、撮影領域から回転フレームの回転軸方向（または、乳房１６の略挿入方向）に突出してもよい。
【００１８】
図２（ｂ）は、乳房保持部１２を示す正面図である。乳房保持部１２は筒状であり、乳房１６を覆うように保持する。乳房保持部１２の放射線照射方向（または、乳房１６の挿入方向の略垂直方向）の断面は、円状である必要はなく、楕円状であってもよい。
【００１９】
乳房保持部１２は、乳房１６の挿入方向の略垂直方向に、複数の分割部（上部１２１と下部１２２）に分割される。本実施形態では、乳房保持部１２は、回転フレームの回転軸に略平行な面で上部１２１と下部１２２に分割される。また、乳房保持部１２は、乳房１６の挿入方向に略平行な面で上部１２１と下部１２２に分割されてもよい。上部１２１の内側の面積は、下部１２２の内側の面積と略同じである。
【００２０】
図２（ｃ）は、乳房保持部１２を示す側面図である。図２（ｃ）に示すように、上部（保持分割部）は、乳房１６の自重方向から乳房１６を保持する。下部（カバー分割部）は、乳房１６の自重方向以外の方向から乳房１６を覆う。このように、乳房保持部１２は、保持分割部とカバー分割部とに分割される。
【００２１】
乳房保持部１２の下部１２２の一端が前面カバー８に連結されている。乳房保持部１２の上部１２１は、下部１２２に対してスライドする構造となっている。上部１２１のスライドが一定距離で停止するように、乳房保持部１２の上部１２１及び下部１２２の少なくとも１つにはストッパーが設けられている。
【００２２】
乳房保持部１２の上部１２１は、支持部２０にスライド可能に保持されてもよい。この場合、上部１２１のスライドが一定距離で停止するように、乳房保持部１２の上部１２１及び支持部２０の少なくとも１つにはストッパーが設けられている。支持部２０は、回転フレームを、ベアリングを介して支持する。
【００２３】
なお、乳房保持部１２の上部１２１は、蛇腹構造などを有し、乳房１６の略挿入方向にスライドすることにより、乳房１６の略挿入方向に伸縮してもよい。
【００２４】
また、乳房保持部１２の上部１２１は、スライドする構造でなくてもよい。例えば、乳房保持部１２の上部１２１は、下部１２２に対して開閉可能な蓋構造であってもよい。この場合、上部１２１が開く方向は、乳房１６の挿入方向の略垂直方向から見て、右開きでも左開きでもよく、両開きでもよい。ただし、上部１２１は、アクセス窓（開口部）１１の方向に開くほうが望ましい。
【００２５】
図２（ｄ）は、乳房保持部１２の上部１２１と下部１２２が重なって、乳房を覆った状態と、乳房保持部１２の上部１２１と下部１２２がスライドして、操作者が乳房に触手できる状態を示す斜視図である。本実施形態によれば、乳房保持部１２により乳房を覆うことにより、放射線撮影システムの可動部（回転フレームなど）が乳房に干渉することを回避するとともに、乳房保持部１２を分割することにより、操作者による乳房へのアクセスを容易にすることができる。
【００２６】
（第２の実施形態）
図３は、第２の実施形態の乳房保持部１２の構成を詳しく説明する図である。なお、上記の実施形態と同様の構成、機能、及び動作についての説明は省略し、主に本実施形態との差異について説明する。
【００２７】
Ｘ線発生部２とＸ線検出部１０で構成される撮影領域内（Ｘ線ビーム内）に乳房保持部１２は配置される。乳房保持部１２の一部は、撮影領域から回転フレームの回転軸方向（または、乳房１６の略挿入方向）に突出してもよい。
【００２８】
図３（ａ）は、乳房保持部１２を示す正面図である。乳房保持部１２は筒状であり、乳房１６を覆うように保持する。乳房保持部１２の放射線照射方向（または、乳房１６の挿入方向の略垂直方向）の断面は、円状である必要はなく、楕円状であってもよい。乳房保持部１２は、乳房１６の挿入方向の略垂直方向に、複数の分割部（上部１２１と下部１２２）に分割される。
【００２９】
図３（ｂ）は、乳房保持部１２を示す側面図である。図３（ｂ）に示すように、上部（保持分割部）は、乳房１６の自重方向から乳房１６を保持する。下部（カバー分割部）は、乳房１６の自重方向以外の方向から乳房１６を覆う。このように、乳房保持部１２は、保持分割部とカバー分割部とに分割される。
【００３０】
乳房保持部１２の下部１２２の一端が支持部２０に連結されている。下部（保持分割部）１２２は、Ｘ線発生部２とＸ線検出部１０（放射線撮影装置の撮影部）を回転させる回転フレームから被検者を隔離する前面カバー８（隔離部）及び回転フレームを支持する支持部２０の少なくとも１つに連結可能である。
【００３１】
乳房保持部１２の上部１２１は、下部１２２に対してスライドする構造となっている。支持部２０は、回転フレームを、ベアリングを介して保持する。
【００３２】
乳房保持部１２の上部１２１は、支持部２０にスライド可能に保持されてもよい。この場合、上部１２１のスライドが一定距離で停止するように、乳房保持部１２の上部１２１及び支持部２０の少なくとも１つにはストッパーが設けられている。
【００３３】
なお、乳房保持部１２の上部１２１は、蛇腹構造などを有し、乳房１６の略挿入方向にスライドすることにより、乳房１６の略挿入方向に伸縮してもよい。また、乳房保持部１２の上部１２１は、スライドする構造でなくてもよい。例えば、乳房保持部１２の上部１２１は、下部１２２に対して開くような蓋構造であってもよい。
【００３４】
図３（ｃ）は、乳房保持部１２の上部１２１と下部１２２が重なって、乳房を覆った状態と、乳房保持部１２の上部１２１と下部１２２がスライドして、操作者が乳房に触手できる状態を示す斜視図である。本実施形態によれば、乳房保持部１２により乳房を覆うことにより、放射線撮影システムの可動部（回転フレームなど）が乳房に干渉することを回避するとともに、乳房保持部１２を分割することにより、操作者による乳房へのアクセスを容易にすることができる。
【００３５】
（第３の実施形態）
図４は、第３の実施形態の乳房保持部１２の構成を詳しく説明する図である。なお、上記の実施形態と同様の構成、機能、及び動作についての説明は省略し、主に本実施形態との差異について説明する。
【００３６】
Ｘ線発生部２とＸ線検出部１０で構成される撮影範囲内（Ｘ線ビーム内）に乳房保持部１２は配置される。乳房保持部１２の一部は、撮影領域から回転フレームの回転軸方向（または、乳房１６の略挿入方向）に突出してもよい。
【００３７】
図４（ａ）は、乳房保持部１２を示す斜視図である。図４（ｂ）は、乳房保持部１２を示す正面図である。乳房保持部１２は砲弾状であり、乳房１６を覆うように保持する。乳房保持部１２の放射線照射方向（または、乳房１６の挿入方向の略垂直方向）の断面は、円状である必要はなく、楕円状であってもよい。乳房保持部１２の乳房１６の挿入方向の略垂直方向の断面は、乳房１６の略挿入方向に進むに従って小さくなる。乳房保持部１２は、乳房１６の挿入方向の略垂直方向に、複数の分割部（上部１２１と下部１２２）に分割される。
【００３８】
図４（ｃ）は、乳房保持部１２を示す側面図である。図４（ｃ）に示すように、上部（保持分割部）は、乳房１６の自重方向から乳房１６を保持する。下部（カバー分割部）は、乳房１６の自重方向以外の方向から乳房１６を覆う。このように、乳房保持部１２は、保持分割部とカバー分割部とに分割される。
【００３９】
乳房保持部１２の下部１２２の一端が前面カバー８に連結され、他端が支持部２０に連結されている。なお、下部１２２の一端及び他端の少なくとも１つが前面カバー８又は支持部２０に連結されていてもよい。このように、下部（保持分割部）１２２は、Ｘ線発生部２とＸ線検出部１０（放射線撮影装置の撮影部）を回転させる回転フレームから被検者を隔離する前面カバー８（隔離部）及び回転フレームを支持する支持部２０の少なくとも１つに連結可能である。
【００４０】
乳房保持部１２の上部１２１は、下部１２２に対してスライドする構造となっている。乳房保持部１２は前面カバー８から遠ざかるにしたがって断面が小さくなる。例えば、乳房保持部１２は円錐形である。乳房保持部１２の上部１２１は、支持部２０にスライド可能に保持されてもよい。
【００４１】
なお、乳房保持部１２の上部１２１は、蛇腹構造などを有し、乳房１６の略挿入方向にスライドすることにより、乳房１６の略挿入方向に伸縮してもよい。
【００４２】
また、乳房保持部１２の上部１２１は、スライドする構造でなくてもよい。例えば、乳房保持部１２の上部１２１は、下部１２２に対して開くような蓋構造であってもよい。この場合、上部１２１が開く方向は、乳房１６の挿入方向の略垂直方向から見て、右開きでも左開きでもよく、両開きでもよい。ただし、上部１２１は、アクセス窓（開口部）１１の方向に開くほうが望ましい。
【００４３】
図４（ｄ）は、乳房保持部１２の上部１２１と下部１２２が重なって、乳房を覆った状態と、乳房保持部１２の上部１２１と下部１２２がスライドして、操作者が乳房に触手できる状態を示す斜視図である。本実施形態によれば、乳房保持部１２により乳房を覆うことにより、放射線撮影システムの可動部（回転フレームなど）が乳房に干渉することを回避するとともに、乳房保持部１２を分割することにより、操作者による乳房へのアクセスを容易にすることができる。
【００４４】
（第４の実施形態）
図５は、第４の実施形態の乳房保持部１２の構成を詳しく説明する図である。なお、上記の実施形態と同様の構成、機能、及び動作についての説明は省略し、主に本実施形態との差異について説明する。
【００４５】
Ｘ線発生部２とＸ線検出部１０で構成される撮影領域内（Ｘ線ビーム内）に乳房保持部１２は配置される。乳房保持部１２の一部は、撮影領域から回転フレームの回転軸方向（または、乳房１６の略挿入方向）に突出してもよい。
【００４６】
図５（ａ）は、乳房保持部１２を示す斜視図である。図５（ｂ）は、乳房保持部１２を示す正面図である。乳房保持部１２は筒状であり、乳房１６を覆うように保持する。乳房保持部１２の放射線照射方向（または、乳房１６の挿入方向の略垂直方向）の断面は、円状である必要はなく、楕円状であってもよい。乳房保持部１２は、乳房１６の挿入方向の略垂直方向に、複数の分割部（上部１２１と下部１２２）に分割される。
【００４７】
下部１２２の内側の面積は、上部１２１の内側の面積より大きい。本実施形態では、乳房保持部１２の上部１２１と下部１２２の分割割合が、第１及び第２の実施形態と異なる。第１及び第２の実施形態では、乳房保持部１２に占める下部（保持分割部）１２２の割合は、乳房保持部１２に占める上部（カバー分割部）１２１の割合と比べて略等しい。一方、本実施形態では、乳房保持部１２に占める下部（保持分割部）１２２の割合は、乳房保持部１２に占める上部（カバー分割部）１２１の割合と比べて大きい。
【００４８】
また、上部（カバー分割部）１２１と下部（保持分割部）１２２の分割方向は、乳房１６の挿入方向の略垂直方向であり、アクセス窓（開口部）１１の方向へ偏向している。図５では、上部１２１と下部１２２の分割方向は、乳房１６の略挿入方向へ見て、右斜めに偏向している。これは、図１（ｂ）に示すように、アクセス窓（開口部）１１が、乳房１６の略挿入方向へ見て、側面カバー１４０の右側に設けられているため、操作者（技師など）が側面カバー１４０の右側から乳房へアクセス（触手）することを想定している。
【００４９】
アクセス窓（開口部）１１が、乳房１６の略挿入方向へ見て、側面カバー１４０の左側に設けられている場合は、上部１２１と下部１２２の分割方向は、乳房１６の略挿入方向へ見て、左斜めに偏向することになる。
【００５０】
上部１２１と下部１２２の分割方向は、用途に応じて、乳房１６の略挿入方向へ見て、右斜めに偏向させたり、左斜めに偏向させたりすることができる。具体的には、上部（カバー分割部）１２１と下部（保持分割部）１２２を乳房の略挿入方向に対して回転させる機構を有している。上部（カバー分割部）１２１と下部（保持分割部）１２２を乳房の略挿入方向に対して回転させることにより、上部（カバー分割部）１２１と下部（保持分割部）１２２を右斜めに偏向させたり、左斜めに偏向させたりすることができる。
【００５１】
よって、Ｘ線発生部２とＸ線検出部１０（放射線撮影装置の撮影部）を回転させる回転フレームを覆うカバー部６がオープン型であっても、乳房へのアクセス方向に向かって偏向することができる。
【００５２】
図５（ｃ）は、乳房保持部１２を示す側面図である。図５（ｃ）に示すように、上部（保持分割部）は、乳房１６の自重方向から乳房１６を保持する。下部（カバー分割部）は、乳房１６の自重方向以外の方向から乳房１６を覆う。このように、乳房保持部１２は、保持分割部とカバー分割部とに分割される。
【００５３】
乳房保持部１２の下部１２２の一端が前面カバー８に連結されている。なお、下部１２２の一端及び他端の少なくとも１つが前面カバー８又は支持部２０に連結されていてもよい。このように、下部（保持分割部）１２２は、Ｘ線発生部２とＸ線検出部１０（放射線撮影装置の撮影部）を回転させる回転フレームから被検者を隔離する前面カバー８（隔離部）及び回転フレームを支持する支持部２０の少なくとも１つに連結可能である。
【００５４】
乳房保持部１２の上部１２１は、下部１２２に対してスライドする構造となっている。支持部２０は、回転フレームを、ベアリングを介して保持する。
【００５５】
乳房保持部１２の上部１２１は、支持部２０にスライド可能に保持されてもよい。この場合、上部１２１のスライドが一定距離で停止するように、乳房保持部１２の上部１２１及び支持部２０の少なくとも１つにはストッパーが設けられている。
【００５６】
なお、乳房保持部１２の上部１２１は、蛇腹構造などを有し、乳房１６の略挿入方向にスライドすることにより、乳房１６の略挿入方向に伸縮してもよい。また、乳房保持部１２の上部１２１は、スライドする構造でなくてもよい。例えば、乳房保持部１２の上部１２１は、下部１２２に対して開くような蓋構造であってもよい。
【００５７】
図５（ｃ）は、乳房保持部１２の上部１２１と下部１２２が重なって、乳房を覆った状態と、乳房保持部１２の上部１２１と下部１２２がスライドして、操作者が乳房に触手できる状態を示す斜視図である。本実施形態によれば、乳房保持部１２により乳房を覆うことにより、放射線撮影システムの可動部（回転フレームなど）が乳房に干渉することを回避するとともに、乳房保持部１２を分割することにより、操作者による乳房へのアクセスを容易にすることができる。
【００５８】
（第５の実施形態）
図６Ａ及び図６Ｂは、本実施形態に係る放射線撮影システム１００の一例を示す斜視図である。なお、上記の実施形態と同様の構成、機能、及び動作についての説明は省略し、主に本実施形態との差異について説明する。
【００５９】
撮影部の前面に前面カバー８が配される。前面カバー８の中央には、乳房挿入用の孔部７が設けられ、被験者の乳房が孔部７に挿入される。撮影部には、回転フレームが配置される。回転フレームには、Ｘ線発生部２とＸ線検出部１０が固定されており、被験者の乳房の周りを３６０度回転して、投影データを撮影する。本実施形態の側面カバー２１には、アクセス窓がなく、操作者は前面カバー８の裏面から被験者の乳房にアクセスすることができる。乳房保持部１２の下部（保持分割部）１２２は、第１の実施形態で示したように、前面カバー８に連結されている。
【００６０】
以上、本発明にかかる実施形態について説明したが、本発明はこれらに限定されるものではなく、請求項に記載された範囲内において変更・変形することが可能である。
【００６１】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【００６２】
２  Ｘ線発生部（放射線発生部）
６  カバー部
７  孔部
８  前面カバー
１０  Ｘ線検出部（放射線検出部）
１１  アクセス窓
１２  乳房保持部
２０  支持部
２１，１４０  側面カバー
１００  放射線撮影システム
１２１  上部（カバー分割部）
１２２  下部（保持分割部）
【図１】
2017221299.tif 000003
【図２】
2017221299.tif 000004
【図３】
2017221299.tif 000005
【図４】
2017221299.tif 000006
【図５】
2017221299.tif 000007
【図６Ａ】
2017221299.tif 000008
【図６Ｂ】
2017221299.tif 000009